(57)【特許請求の範囲】
【請求項１】
モータを収容するモータハウジングの前方に配置した本体ハウジング内に、前記モータの回転をスライダの直線往復運動に変換するクランク機構を収容して、前記スライダを前記本体ハウジングの下方に突出させてその下端にブレードを装着可能とする一方、前記本体ハウジングの下方に、下端に前記ブレードの後方に位置するローラを有して上方部分を前記本体ハウジング内に貫通させたリテーナを軸着し、前記リテーナを、前記本体ハウジング内で前記モータの駆動に応じて上下動する連動部材に連動して前後に揺動可能としたジグソーであって、
前記本体ハウジングを、縦に２分割される分割ハウジングから形成すると共に、前記リテーナの貫通部を、前記本体ハウジングの分割際でその突き当て端面から前記分割ハウジングに形成される凹部として、前記凹部内に、前記本体ハウジングの組み付け状態で前記分割ハウジング間に挟持されるゴム製のシール材を嵌入し、そのシール材に設けた透孔に前記リテーナを貫通させる一方、
前記分割ハウジングの少なくとも一方に、組み付け状態で前記本体ハウジング内をクランク機構側とリテーナ側とに仕切る仕切壁を設けて、前記仕切壁に、前記連動部材が貫通可能な第２の凹部を前記仕切壁の突き当て端面から形成し、前記第２の凹部に、前記本体ハウジングの組み付け状態で前記分割ハウジング間に挟持される第２のシール材を設けて、その第２のシール材に設けた透孔に前記連動部材を貫通させたことを特徴とするジグソー。
【請求項２】
シール材の表面に、リテーナの揺動に追従して前記シール材のたわみを許容可能な窪みを凹設した請求項１に記載のジグソー。
【発明の詳細な説明】
【０００１】
【発明の属する技術分野】
本発明は、本体ハウジングの下方に、ブレードの切断送り抵抗を受けるリテーナを設けたジグソーに関する。
【０００２】
【従来の技術】
ジグソーは、モータを収容するモータハウジングの前方に配置した本体ハウジング内に、モータの回転をスライダの直線往復運動に変換するクランク機構を収容して、スライダを本体ハウジングの下方に突出させてその下端にブレードを装着可能となっている。よって、モータが駆動すると、クランク機構を介してスライダと共にブレードが往復動し、被切断材を切断可能となる。
また、本体ハウジングの下方には、下端にローラを有して上方部分を本体ハウジング内に貫通させたリテーナが軸着される。このリテーナは、モータ駆動に伴い本体ハウジング内で上下動する連動部材によって上端が押し下げられることで、連動して前後に揺動し、ローラをブレードの後縁に当接させてブレードへの切断送り抵抗を受けるものである。
【０００３】
【発明が解決しようとする課題】
上記リテーナにおいては、切断により生じる粉塵が本体ハウジング内に侵入するのを防ぐため、リテーナの貫通部（本体ハウジングに設けた透孔）をシールする必要がある。具体的には、リテーナに取り付けたスポンジシートを透孔に接着固定したり、リテーナに貫通させたフェルトと鉄板とを透孔内に嵌着したりするシール手段が採用されている。しかし、揺動するリテーナによって、スポンジシート等のシール材とリテーナ、又はシール材と透孔との間に隙間が生じやすく、充分な防塵がなされない。また、シール材の接着や組み付けにも手間やコストがかかってしまう。
【０００４】
そこで、請求項１に記載の発明は、リテーナの貫通部を高い信頼性で防塵でき、シール材の組み付けも低コストで容易に行えるジグソーを提供することを目的としたものである。
【０００５】
【課題を解決するための手段】
上記目的を達成するために、請求項１に記載の発明は、本体ハウジングを、縦に２分割される分割ハウジングから形成すると共に、リテーナの貫通部を、本体ハウジングの分割際でその突き当て端面から分割ハウジングに形成される凹部として、凹部内に、本体ハウジングの組み付け状態で分割ハウジング間に挟持されるゴム製のシール材を嵌入し、そのシール材に設けた透孔にリテーナを貫通させる一方、分割ハウジングの少なくとも一方に、組み付け状態で本体ハウジング内をクランク機構側とリテーナ側とに仕切る仕切壁を設けて、仕切壁に、連動部材が貫通可能な第２の凹部を仕切壁の突き当て端面から形成し、第２の凹部に、本体ハウジングの組み付け状態で分割ハウジング間に挟持される第２のシール材を設けて、その第２のシール材に設けた透孔に連動部材を貫通させたことを特徴とするものである。
請求項２に記載の発明は、請求項１の目的に加えて、シール材でのより効果的な防塵を可能とするために、シール材の表面に、リテーナの揺動に追従してシール材のたわみを許容可能な窪みを凹設したものである。
【０００６】
【発明の実施の形態】
以下、本発明の実施の形態を図面に基づいて説明する。
図１は、ジグソーの縦断面図で、ジグソー１は、モータ３を収容したモータハウジング２の前方（図１の右側）に、外ハウジング５を連結し、外ハウジング５の内部に、縦に２分割される後ハウジング６と前ハウジング７とからなる本体ハウジング８を保持させており、モータ３の出力軸４は後ハウジング６に軸支されて本体ハウジング８内に突出している。また、本体ハウジング８の内部には、出力軸４と噛合するギヤ９が設けられ、ギヤ９の前方に、前面に偏心ピン１１を突設したクランク盤１０が同軸で固着されている。クランク盤１０の前方では、スライダ１２が上下方向へスライド可能に収容されて本体ハウジング８の下方へ突出し、その上端へ左右方向に連結した断面コ字状の連結体１３内に偏心ピン１１が連結されて、クランク盤１０の回転に伴う偏心ピン１１の円運動により、偏心ピン１１の上下方向の移動量でスライダ１２が上下に直線往復運動を行う。
さらに、スライダ１２の下端にはブレード１４が装着され、本体ハウジング８の下部に連結されたベース１５を貫通して下方へ突出している。
【０００７】
一方、本体ハウジング８において、前ハウジング７と連結される後ハウジング６の底板１６には、図２にも示すように、前ハウジング７との突き当て端面から後方にかけて長方形状の凹部１７が形成されると共に、凹部１７の左右に軸支部１８，１８が下方へ向けて突設されている。１９はリテーナで、上下方向の中央部２０と、その中央部２０から前方へ直角に折曲され、ブレード１４の真後ろでローラ２２を軸着するアーム部２１，２１と、中央部２０の上端から後方へ同じく直角に折曲されるプレート部２３とからなり、中央部２０の前方に位置するアーム部２１の上端がピン２４によって軸支部１８，１８へ回動可能に軸着されている。この軸着状態で、中央部２０が凹部１７を貫通し、プレート部２３を後ハウジング６内に位置させるものである。また、本体ハウジング８内には、ギヤ９の回転に伴って上下動し、下限位置でリテーナ１９のプレート部２３を押し下げ、上限位置でプレート部２３と離反する連動部材としての押圧プレート２５が設けられている。よって、リテーナ１９は、押圧プレート２５の上下動に従い、ピン２４を中心にして前後に揺動して、ブレード１４の後縁をローラ２２によって断続的に押圧可能となっている。
【０００８】
但し、底板１６の凹部１７には、前後ハウジング６，７の組み付け状態で両ハウジング間に挟持されるシール材としてのゴムシール２６が嵌入されており、リテーナ１９の中央部２０は、凹部１７内でゴムシール２６の中央に形成された透孔２７を貫通している。このゴムシール２６は、底板１６よりも肉厚の板状体で、図３にも示す如く、周囲に凹部１７の内縁及び前ハウジング７の後縁部７ａが嵌合可能な凹溝２８を周設して、嵌入状態で凹部１７をシール可能となっている。なお、透孔２７も、リテーナ１９の中央部２０へ密着してシールされるように、開口面積を中央部２０の断面積よりもやや小さく設定している。また、ゴムシール２６の上下両面には、透孔２７を挟んで断面Ｖ字状の窪み２９，２９が夫々一対ずつ左右方向へ凹設されている。
【０００９】
そして、後ハウジング６において、底板１６の上方には、組み付け状態で前端が前ハウジング７と当接し、本体ハウジング８内をクランク機構側とリテーナ１９側とに仕切る仕切壁３０が形成されているが、仕切壁３０にも第２の凹部となる四角形状の凹部３１が前ハウジング７との突き当て端面から後方にかけて形成され、凹部３１に第２のシール材として、合成樹脂製のシールプレート３３が設けられている。このシールプレート３３は、凹部３１の左右の内縁に形成されたコ字状の把持溝３２，３２に左右両端を保持され、前後ハウジング６，７の組み付け状態で、前後端が夫々前後ハウジング６，７の内面に当接して仕切壁３０を塞ぐもので、押圧プレート２５は、シールプレート３３に形成された貫通孔３４を貫通して下方へ突出している。
【００１０】
以上の如く構成されたジグソー１においては、ベース１５を被切断材上に載置してモータ３を駆動させると、出力軸４の回転によってギヤ９と共にクランク盤１０が回転し、偏心ピン１１を介してスライダ１２を上下動させる。よって、ジグソー１を前進させると、スライダ１２と共に上下動するブレード１４が被切断材を切断する。一方、ギヤ９の回転に伴い押圧プレート２５も上下動し、先述のようにピン２４を中心としてリテーナ１９を前後揺動させるため、ローラ２２がブレード１４の上昇に合わせて後縁を押圧し、ブレード１４に加わる切断送り抵抗をローラ２２で受けることができる。
このリテーナ１９の揺動に伴い、中央部２０もピン２４を中心として揺動することになるが、ゴムシール２６が揺動に追従して変形し、凹部１７でのシールを保持するため、切断により生じる粉塵が凹部１７から本体ハウジング８内に侵入するおそれは非常に少なくなる。
【００１１】
このように上記形態のジグソー１によれば、本体ハウジング８を、縦に２分割される前後ハウジング６，７から形成すると共に、リテーナ１９の貫通部を、本体ハウジング８の分割際でその突き当て端面から後ハウジング６に形成される凹部１７として、凹部１７内に、本体ハウジング８の組み付け状態で前後ハウジング６，７間に挟持されるゴムシール２６を嵌入し、そのゴムシール２６に設けた透孔２７にリテーナ１９を貫通させたことで、リテーナ１９の貫通部を高い信頼性で防塵できる。また、ゴムシール２６は前後ハウジング６，７の組付けと同時に挟持される構造であるから、接着等の加工が不要で組み付けが容易となり、コストの低減にも繋がる。
また、ゴムシール２６の表面に、リテーナ１９の揺動に追従してゴムシール２６のたわみを許容可能な窪み２９，２９・・を凹設しているから、ゴムシール２６のリテーナ１９への密着を維持可能となり、ゴムシール２６でのより効果的な防塵が図られる。
【００１２】
さらに、後ハウジング６に、組み付け状態で本体ハウジング８内をクランク機構側とリテーナ１９側とに仕切る仕切壁３０を設けて、仕切壁３０に、押圧プレート２５が貫通可能な凹部３１を仕切壁３０の突き当て端面から形成し、凹部３１に、本体ハウジング８の組み付け状態で前後ハウジング６，７間に挟持されるシールプレート３３を設けて、そのシールプレート３３に設けた貫通孔３４に押圧プレート２５を貫通させたことで、押圧プレート２５があっても簡単に本体ハウジング８の二重の防塵が可能となり、防塵の信頼性を高めることができる。
【００１３】
なお、シール材の形態は、上記ゴムシールに限らず、窪みの数は適宜増減可能であるし、リテーナの揺動への追従が確保できれば、窪みをなくすこともできる。同様に、第２のシール材も、シールプレートに代えてゴムシールのようにゴム製とすることもできる。また、上記形態ではシール材に凹溝を設けて凹部の内縁と前ハウジングの後縁とを嵌合させているが、これと逆に、凹部の内縁と前ハウジングの後縁とに凹溝を形成して、シール材を凹溝に嵌入する構造とすることもできる。
さらに、凹部や第２の凹部も、後ハウジング側に限らず、前ハウジング側に形成しても良いし、両方の分割ハウジングに形成しても良い。その形状も、四角形に限らず、半円形等の他の形状も採用可能で、シール材や第２のシール材もこれに合わせて形状を変更すれば良い。
そして、上記形態では、本体ハウジングは前後に２分割されているが、左右に２分割される構造であっても本発明は適用可能である。
【００１４】
【発明の効果】
請求項１に記載の発明によれば、本体ハウジングを、縦に２分割される分割ハウジングから形成すると共に、リテーナの貫通部を、本体ハウジングの分割際でその突き当て端面から分割ハウジングに形成される凹部として、凹部内に、本体ハウジングの組み付け状態で分割ハウジング間に挟持されるゴム製のシール材を嵌入し、そのシール材に設けた透孔にリテーナを貫通させたことで、リテーナの貫通部分を高い信頼性で防塵できる。また、シール材は分割ハウジングの組付けと同時に挟持される構造であるから、接着等の加工が不要で組み付けが容易となり、コストの低減にも繋がる。
特に、分割ハウジングの少なくとも一方に、組み付け状態で本体ハウジング内をクランク機構側とリテーナ側とに仕切る仕切壁を設けて、仕切壁に、連動部材が貫通可能な第２の凹部を仕切壁の突き当て端面から形成し、第２の凹部に、本体ハウジングの組み付け状態で分割ハウジング間に挟持される第２のシール材を設けて、その第２のシール材に設けた透孔に連動部材を貫通させたことで、連動部材があっても簡単に本体ハウジングの二重の防塵が可能となり、防塵の信頼性を高めることができる。
請求項２に記載の発明によれば、請求項１の効果に加えて、シール材の表面に、リテーナの揺動に追従してシール材のたわみを許容可能な窪みを凹設したことで、シール材のリテーナへの密着が維持可能となり、シール材でのより効果的な防塵が図られる。
【図面の簡単な説明】
【図１】ジグソーの断面図である。
【図２】後ハウジングを前方から見た部分説明図である。
【図３】（Ａ）ゴムシールの平面図である。
（Ｂ）ゴムシールの短手方向断面図である。
（Ｃ）ゴムシールの長手方向断面図である。
【符号の説明】
１・・ジグソー、６・・後ハウジング、７・・前ハウジング、８・・本体ハウジング、１２・・スライダ、１４・・ブレード、１６・・底板、１７・・凹部、１９・・リテーナ、２２・・ローラ、２４・・ピン、２５・・押圧プレート、２６・・ゴムシール、２９・・窪み、３３・・シールプレート。
【図１】
0004220160.tif 000002
【図２】
0004220160.tif 000003
【図３】
0004220160.tif 000004